(57)【要約】【課題】複数の安定化直流電圧を出力する直流電源装置に関し、入力立上り及び立下りに対して所望の順序で出力の迅速立上り及び遅延した立下りを行う。【解決手段】入力電圧を突入電流抑制回路１とブースト回路２とを介して印加して充電するコンデンサＣ１と、このコンデンサＣ１の充電電圧を複数のＤＣ／ＤＣ変換回路３，４等の出力電圧安定化手段に入力して、複数の安定化直流電圧を出力１，出力２として出力する直流電源装置であって、複数の出力電圧安定化手段対応に設けて起動及び停止を制御する起動停止回路９，１０と、入力電圧を検出する入力電圧監視回路５と、コンデンサＣ１の充電電圧を検出する充電電圧監視回路７と、入力電圧監視回路５による入力電圧の立上り又は立下りの検出信号と、充電電圧監視回路７によるコンデンサＣ１の充電電圧の検出信号とに従って、複数の出力電圧安定化手段対応の起動停止回路９，１０を予め設定した動作順序に制御するタイミング回路８とを備えている。【選択図】　　　図１
2004096869.tif 000002
【特許請求の範囲】
【請求項１】
入力電圧を突入電流抑制回路とブースト回路とを介して印加して充電するコンデンサと、該コンデンサの充電電圧を複数の出力電圧安定化手段に入力して、複数の安定化直流電圧を出力する直流電源装置に於いて、
前記複数の出力電圧安定化手段対応に設けて起動及び停止を制御する起動停止回路と、
前記入力電圧を検出する入力電圧監視回路と、
前記コンデンサの充電電圧を検出する充電電圧監視回路と、
前記入力電圧監視回路による前記入力電圧の立上り又は立下りの検出信号と、
前記充電電圧監視回路による前記コンデンサの充電電圧の検出信号とに従って、前記複数の出力電圧安定化手段対応の前記起動停止回路を予め設定した動作順序に制御するタイミング回路と
を備えたことを特徴とする直流電源装置。
【請求項２】
前記複数の出力電圧安定化手段は、前記コンデンサの充電電圧を入力してそれぞれ同一又は異なる直流電圧を安定化させて出力するＤＣ／ＤＣ変換回路により構成したことを特徴とする請求項１記載の直流電源装置。
【請求項３】
前記複数の出力電圧安定化手段は、前記コンデンサの充電電圧を入力する単一のＤＣ／ＤＣ変換回路と、該ＤＣ／ＤＣ変換回路の出力電圧を複数の異なる出力電圧又は出力電力として出力電圧の安定化を行う安定化回路とにより構成したことを特徴とする請求項１記載の直流電源装置。
【請求項４】
前記タイミング回路は、前記入力電圧監視回路による入力電圧の立上りの検出信号と、前記充電電圧監視回路による前記コンデンサの充電電圧が前記ＤＣ／ＤＣ変換回路の動作可能電圧を超えた時の検出信号とに従って、先に立上げる前記出力電圧安定化手段を起動し、所定の時間後に、次に立上げる前記出力電圧安定化手段を起動し、前記入力電圧監視回路による入力電圧の立下りの検出信号により、所定時間後に先に立下げる前記出力電圧安定化手段の動作を停止し、前記充電電圧監視回路による前記コンデンサの充電電圧が前記ＤＣ／ＤＣ変換回路の動作可能電圧以下になった時の検出信号又は所定の時間後に、次に立下げる前記出力電圧安定化手段の動作を停止させる制御構成を有することを特徴とする請求項１又は２又は３記載の直流電源装置。
【発明の詳細な説明】
【０００１】
【発明の属する技術分野】
本発明は、複数種類の安定化直流電圧を出力し、入力電圧の瞬断にも対応できる直流電源装置に関する。
【０００２】
【従来の技術】
各種の電子回路等に対して安定化直流電圧を供給する直流電源装置は、従来、例えば、図５に示す構成を有するものである。同図に於いて、５１は突入電流抑制回路、５２はブースト回路、５３，５４は同一又は異なる出力電圧、或いは同一又は異なる出力電力の出力電圧安定化手段としてのＤＣ／ＤＣ変換回路、５５は入力電圧監視回路、５６は起動停止回路、５７はタイミング回路、５８，５９は起動停止回路、Ｃ１はコンデンサを示す。
【０００３】
入力電圧監視回路５５は、図示を省略した電源スイッチをオンとして入力された電圧が所定値以上か否かを監視して、その検出信号をタイミング回路５７に入力する。タイミング回路５７は、その検出信号に従って、起動停止回路５６，５８，５９を制御する。例えば、入力電圧が所定値以上となった検出信号により、タイミング回路５７は起動停止回路５６を制御し、この起動停止回路５６は、突入電流抑制回路５１とブースト回路５２とを起動する。反対に、電源スイッチをオフとしたこと等による入力電圧が所定値以下となった検出信号により、起動停止回路５６を制御して、突入電流抑制回路５１とブースト回路５２とを初期状態に戻す停止制御を行う。
【０００４】
又突入電流抑制回路５１は、既に各種の構成が知られており、電源スイッチの投入の初期状態に於いては、コンデンサＣ１に流入する突入電流を、抵抗や電界効果トランジスタ等によって抑制し、電流が減少した時にそれらを短絡状態とするものである。即ち、初期状態では、抵抗が直列に接続された状態或いは電界効果トランジスタが高インピーダンス状態となっており、電流検出やタイマ等によって直列の抵抗の短絡或いは電界効果トランジスタを低インピーダンス状態に切替える。従って、起動停止回路５６により動作を停止する場合に、初期状態に復帰させるものである。又ブースト回路５２は、例えば、スイッチングトランジスタとインダクタンス等による構成を有し、コンデンサＣ１　が同一容量でも印加電圧が高い程、充電電荷量を大きくすることができるから、ブースト回路５２により昇圧した電圧でコンデンサＣ１の充電を行うものである。
【０００５】
このコンデンサＣ１の充電電圧をＤＣ／ＤＣ変換回路５３，５４に入力する。これらのＤＣ／ＤＣ変換回路５３，５４は、既に知られている各種の構成のスイッチング・レギュレータで、それぞれの出力１，出力２は、例えば、＋５Ｖ，＋１２Ｖとすることができ、図示を省略した電子回路等の負荷に供給する。その場合、起動停止回路５８，５９は、タイミング回路５７からの制御に従ってＤＣ／ＤＣ変換回路５３，５４の起動及び停止を制御するものである。
【０００６】
例えば、電源スイッチをオンして入力電圧が印加された時に、コンデンサＣ１の充電電荷は零であり、ブースト回路５２を介して充電されて、充電電圧がＤＣ／ＤＣ変換回路５３，５４の動作可能の電圧になるまで動作できないので、タイミング回路５７は、この時間を予め設定して、起動停止回路５８，５９を制御し、ＤＣ／ＤＣ変換回路５３，５４の起動を制御する。又タイミング回路５７は、電源スイッチをオフ又は瞬断による入力電圧が所定値以下に低下した検出信号により、コンデンサＣ１の充電電荷によるＤＣ／ＤＣ変換回路５３，５４の動作可能時間を予め設定し、その動作可能時間が経過した時に、ＤＣ／ＤＣ変換回路５３，５４の動作を停止させる。
【０００７】
図６は従来の動作説明図であり、電源スイッチのオンによる入力電圧の立上りから、コンデンサＣ１の充電に要する時間に相当する時間Ｔ１後に、ＤＣ／ＤＣ変換回路５３，５４を起動することにより、出力１，出力２が立上る。又入力電圧の立下りの継続時間がＴ４の場合、コンデンサＣ１の充電電荷を利用できる時間に相当する時間Ｔ３後に、ＤＣ／ＤＣ変換回路５３，５４を停止する。従って、入力電圧が時間Ｔ３以下の時間Ｔ２の瞬断が生じても、出力１，出力２を安定に負荷に供給することができる。
【０００８】
【発明が解決しようとする課題】
前述の従来の直流電源装置に於いては、入力電圧の立上りから、出力１，出力２の立上りまでに、突入電流抑制回路５１の起動と、ブースト回路５２の起動とを行い、コンデンサＣ１の充電が完了する時間に相当する時間Ｔ１後に、ＤＣ／ＤＣ変換回路５３，５４を起動するものであるから、相当の時間を必要とするものであった。又入力電圧の立下り継続時間がＴ３以上の場合に、入力電圧の立上りから出力１，出力２の立上りまでに、再びＴ１の時間を必要とするものであるから、再立上げに要する時間が長くなる問題があった。入力電圧の立上りから出力１，出力２の少なくとも何れか一方の立上りを迅速化することが要望されている。又入力電圧の立下りによっても、出力１，出力２の何れか一方の供給可能の時間を延長できようにすることも要望されている。しかし、従来の直流電源装置は、コンデンサＣ１の放電に要する時間に相当する時間Ｔ３の遅延のみを行うものであり、出力の迅速な立上げや、入力立下り時の出力の継続可能時間の延長は困難であった。
【０００９】
本発明は、比較的簡単な構成により、入力電圧の立上りから所望の出力の立上りまでの時間を短縮し、又入力電圧の立下りによる所望の出力の立下りまでの時間を延長することを目的とする。
【００１０】
【課題を解決するための手段】
本発明の直流電源装置は、図１を参照して説明すると、入力電圧を突入電流抑制回路１とブースト回路２とを介して印加して充電するコンデンサＣ１と、このコンデンサＣ１の充電電圧を複数のＤＣ／ＤＣ変換回路３，４等の出力電圧安定化手段に入力して、複数の安定化直流電圧を出力する直流電源装置であって、複数の出力電圧安定化手段対応に設けて起動及び停止を制御する起動停止回路９，１０と、入力電圧を検出する入力電圧監視回路５と、コンデンサＣ１の充電電圧を検出する充電電圧監視回路７と、入力電圧監視回路５による入力電圧の印加又は遮断の検出信号と、充電電圧監視回路７によるコンデンサＣ１の充電電圧の検出信号とに従って、複数の出力電圧安定化手段対応の起動停止回路９，１０を予め設定した動作順序に制御するタイミング回路８とを備えている。
【００１１】
又複数の出力電圧安定化手段は、コンデンサＣ１の充電電圧を入力してそれぞれ同一又は異なる直流電圧を安定化させて出力するＤＣ／ＤＣ変換回路３，４により構成することができる。又複数の出力電圧安定化手段は、コンデンサＣ１の充電電圧を入力する単一のＤＣ／ＤＣ変換回路と、このＤＣ／ＤＣ変換回路の出力電圧を複数の異なる出力電圧又は出力電力として出力電圧の安定化を行う安定化回路とにより構成することができる。
【００１２】
又タイミング回路８は、入力電圧監視回路５による入力電圧の立上りの検出信号と、充電電圧監視回路７によるコンデンサＣ１の充電電圧がＤＣ／ＤＣ変換回路３，４の動作可能電圧を超えた時の検出信号とに従って、先に立上げる出力電圧安定化手段を起動し、所定の時間後に、次に立上げる出力電圧安定化手段を起動し、入力電圧監視回路５による入力電圧の立下りの検出信号により、所定時間後に先に立下げる出力電圧安定化手段の動作を停止し、充電電圧監視回路７によるコンデンサＣ１の充電電圧がＤＣ／ＤＣ変換回路の動作可能電圧以下になった時の検出信号又は所定の時間後に、次に立下げる出力電圧安定化手段の動作を停止させる制御構成を有するものである。
【００１３】
【発明の実施の形態】
図１は本発明の第１の実施の形態の説明図であり、１は突入電流抑制回路、２はブースト回路、３，４はＤＣ／ＤＣ変換回路、５は入力電圧監視回路、６はリセット回路、７は充電電圧監視回路、８はタイミング回路、９，１０は起動停止回路、Ｃ１はコンデンサを示す。
【００１４】
この実施の形態に於ける複数の出力電圧安定化手段は、出力１，出力２に対応してＤＣ／ＤＣ変換回路３，４により構成し、安定化した出力１，出力２を図示を省略した電子回路等の負荷に供給する場合を示し、ＤＣ／ＤＣ変換回路３，４は、各種構成のスイッチング・レギュレータとすることができる。又突入電流抑制回路１は、入力電圧印加時に、突入電流抑制の為の直列の抵抗接続や電界効果トランジスタのインピーダンス制御等を行い、突入電流抑制後は、直列の抵抗を短絡又は電界効果トランジスタを完全オン状態とし、リセット回路６からのリセットにより初期状態に復帰する構成を有するもので、既に知られている各種の構成を適用することができる。又ブースト回路２は、突入電流抑制回路１を介して入力電圧が印加されることにより動作を開始し、リセット回路６からのリセットにより初期状態に復帰する構成を有するもので、既に知られている各種の構成のスイッチング・ブースト回路等を適用することができる。
【００１５】
又入力電圧監視回路５は、図示を省略した電源スイッチのオン，オフによる入力電圧が所定値を超えた立上り及び所定値以下となった立下りを検出して、その検出信号をリセット回路６とタイミング回路８とに入力する。その立下りの検出信号によりリセット回路６は、前述のように、突入電流抑制回路１とブースト回路２とを初期状態となるようにリセットする。又充電電圧検出回路７は、コンデンサＣ１の充電電圧が、ＤＣ／ＤＣ変換回路３，４の動作可能電圧以上及びそれより低下したことを検出した検出信号をタイミング回路８に入力する。又起動停止回路９によりＤＣ／ＤＣ変換回路３の起動及び停止を制御し、起動停止回路１０によりＤＣ／ＤＣ変換回路４の起動及び停止を制御する。
【００１６】
又タイミング回路８は、入力電圧監視回路５の検出信号と、充電電圧監視回路７の検出信号とに従って、予め設定された順序で起動停止回路９，１０を制御する構成を有する。例えば、出力１の立上りを迅速化し、且つ立下りを遅くするように設定する場合、タイミング回路８は、入力電圧監視回路５からの入力電圧の立上りの検出信号と、充電電圧監視回路７からのコンデンサＣ１の充電電圧が、ＤＣ／ＤＣ変換回路３，４の動作開始可能の最低電圧以上となったことを示す検出信号とに従って、起動停止回路９を制御し、この起動停止回路９によりＤＣ／ＤＣ変換回路３を起動し、それから所定のタイミング後に起動停止回路１０を制御し、この起動停止回路１０によりＤＣ／ＤＣ変換回路４を起動する。又入力電圧の立下りの検出信号が入力された場合は、所定のタイミング後に起動停止回路１０を制御し、その起動停止回路１０によりＤＣ／ＤＣ変換回路４の動作を停止させ、その後に、充電電圧監視回路７からのＤＣ／ＤＣ変換回路３の動作可能電圧以下に、コンデンサＣ１の充電電圧が低下したことを示す検出信号により、起動停止回路９を制御し、その起動停止回路９によりＤＣ／ＤＣ変換回路３の動作停止させる。即ち、タイミング回路８は、既に知られている各種の構成のシーケンス制御回路と同様な構成で実現することができる。
【００１７】
例えば、各種の電子回路に於ける論理回路の動作を迅速に開始させ、その論理回路に各種の測定結果や負荷の状態情報等を入力する回路は、論理回路が動作を開始した後に、動作を開始しても充分な場合が多いものであるから、論理回路に印加する安定化直流出力電圧の立上りを先に行い、他の回路に印加する安定化直流出力電圧はその後でも良いことになる。
【００１８】
例えば、＋５Ｖの出力１の立上りを迅速化し、その立下りを遅くし、＋１２Ｖの出力２の立上りは多少遅れても良い場合、タイミング回路８により、入力電圧監視回路５による入力電圧の立上りの検出信号と、充電電圧監視回路７によるコンデンサＣ１の充電電圧がＤＣ／ＤＣ変換回路３の動作開始可能の最低電圧に上昇したことを示す検出信号とによって、起動停止回路９を制御する。従って、コンデンサＣ１の充電が完了する前にＤＣ／ＤＣ変換回路３を起動停止回路９によって起動し、出力１を先に立上げる。この場合に、突入電流抑制回路１とブースト回路２とは、自律的に動作を開始し、コンデンサＣ１の充電を開始する。又タイミング回路８は、起動停止回路９を制御した後、所定のタイミング後に、起動停止回路１０を制御し、ＤＣ／ＤＣ変換回路４を起動する。それにより、出力１の立上り後に、出力２を立上げることになる。
【００１９】
又入力電圧監視回路５により、電源スイッチのオフ等による入力電圧の立下りを検出した場合は、その検出信号に従って、タイミング回路８は、その検出信号から、コンデンサＣ１の充電電荷を基に出力１，出力２を供給可能とする所定時間経過後に、起動停止回路１０を制御して、ＤＣ／ＤＣ変換回路４の動作を停止させる。それにより、コンデンサＣ１の充電電荷は、ＤＣ／ＤＣ変換回路３のみに供給され、出力１は継続して負荷に供給される。そして、充電電圧監視回路７により、コンデンサＣ１の充電電圧がＤＣ／ＤＣ変換回路３の動作可能電圧以下に低下したことを検出した検出信号、又は入力電圧の立下り検出から所定のタイミング後に、起動停止回路９を制御して、ＤＣ／ＤＣ変換回路３を停止させる。即ち、出力１も立下げる。
【００２０】
図２は本発明の第１の実施の形態の動作説明図であり、入力と出力１，出力２とについて示すもので、入力立上りにより、コンデンサＣ１はブースト回路２により急速に充電が行われ、その充電電圧が、ＤＣ／ＤＣ変換回路３の動作可能の電圧となると、起動停止回路９により起動され、出力１は立上る。又その後、所定のタイミング後に、ＤＣ／ＤＣ変換回路４が起動されて、出力２は立上る。その場合、入力立上りから出力１の立上り時間ｔ１、出力２の立上り時間ｔ２とすると、従来例に於ける立上りの時間Ｔ１に対して、ｔ１≪Ｔ１の関係となる。即ち、出力１については迅速に立上げることができる。
【００２１】
又入力立下りの検出により、タイミング回路８は、所定時間ｔ６後に、起動停止回路１０によってＤＣ／ＤＣ変換回路４を先に動作停止とし、その出力２を立下げる。それにより、コンデンサＣ１の充電電荷の放出量が削減されるから、ＤＣ／ＤＣ変換回路３は出力１を負荷に継続して供給することができる。そして、入力立下りの継続時間ｔ４が長いと、コンデンサＣ１の充電電圧がＤＣ／ＤＣ変換回路３の動作可能電圧以下に低下し、それを検出した充電電圧監視回路７からの検出信号、又は所定のタイミング後に、起動停止回路９によって、ＤＣ／ＤＣ変換回路３を停止させる。従って、出力１の立下りの時間ｔ５（＜ｔ４）と、出力２の立下りの時間ｔ６とは、ｔ５＞ｔ６となり、出力１を長時間安定に供給することができる。又入力電圧の瞬断時間ｔ３が、ｔ３＜ｔ６の場合、出力１，出力２共に継続して負荷に供給することができる。又ｔ５＞ｔ３＞ｔ６の関係の場合は、出力１のみを継続して負荷に供給することができる。
【００２２】
又出力１を迅速に立上げ、次に出力２を立上げ、入力立下りの場合に、出力１を先に立下げ、次に出力２を立下げるように、タイミング回路８による制御順序を設定することも可能である。又２種類のＤＣ／ＤＣ変換回路３，４を設けた場合を示すが、３種類或いは更に多種類のＤＣ／ＤＣ変換回路を設けて、それぞれの起動及び停止のタイミングをタイミング回路８により設定することも可能である。従って、電源スイッチをオンとした時に迅速に動作を開始することが必要な負荷に対して安定化直流電圧を供給するＤＣ／ＤＣ変換回路を先に立上げ、次に他のＤＣ／ＤＣ変換回路を立上げるように制御し、又入力立下げの場合にも安定化直流電圧の供給を継続するＤＣ／ＤＣ変換回路は、最後に立下げるように制御することができる。
【００２３】
図３は本発明の第２の実施の形態の説明図であり、１１は突入電流抑制回路、１２はブースト回路、１３はＤＣ／ＤＣ変換回路、１４，１５は安定化回路、１６はリセット回路、１７は充電電圧監視回路、１８はタイミング回路、１９，２０は起動停止回路、２１は入力電圧監視回路、Ｃ１はコンデンサを示す。この実施の形態は、出力安定化手段を、１個のＤＣ／ＤＣ変換回路１３と、出力１，出力２対応の２個の安定化回路１４，１５とにより構成した場合を示す。
【００２４】
ＤＣ／ＤＣ変換回路１３は、前述のように、各種の構成を適用できるものであり、又安定化回路１４，１５は、ＤＣ／ＤＣ変換回路１３の出力電圧を、所望の出力電圧や出力電流容量の出力１，出力２となるように、シリーズ・レギュレータやスイッチング・レギュレータ等の安定化出力構成を有するものであり、安定化回路１４は、ＤＣ／ＤＣ変換回路１３の出力電圧が入力されると、安定化動作を開始し、又安定化回路１５は、起動停止回路２０により起動及び停止が制御される構成を有するものである。
【００２５】
又突入電流抑制回路１１とブースト回路１２とリセット回路１６と充電電圧監視回路１７と入力電圧監視回路２１とタイミング回路１８とは、図１に示す同一の名称の構成と殆ど同一とすることができる。即ち、タイミング回路１８は、入力立上りの検出信号と充電電圧監視回路１７からの検出信号とを基に、起動停止回路１９を制御して、ＤＣ／ＤＣ変換回路１３を迅速に起動し、その後、起動停止回路２０を制御して、安定化回路１５を起動する。従って、出力１が先に立上り、次に出力２が立上る。又入力立下りにより、リセット回路１６は、突入電流抑制回路１１とブースト回路１２とを初期状態にリセットし、又タイミング回路１８は、所定タイミング後に、起動停止回路２０を制御して、安定化回路１５を停止し、充電電圧監視回路１７からの充電電圧の低下の検出信号又は所定タイミング後に、起動停止回路１９を制御して、ＤＣ／ＤＣ変換回路１３を停止する。従って、出力２が先に立下り、出力１の安定化が困難となった時点で立下げることができる。
【００２６】
従って、電源スイッチのオンによる入力立上りによって、出力１は迅速に立上って、負荷に安定化直流電圧を供給し、その後に出力２が立上ることになる。又電源スイッチのオフ等による入力立下りにより、それから所定タイミング後に出力２が立下り、コンデンサＣ１の充電電圧がＤＣ／ＤＣ変換回路１３の動作可能電圧以下に低下した時、又は所定のタイミング後に、出力１が立下るように制御して、出力１の供給可能の時間を長くすることができる。
【００２７】
この実施の形態に於いて、ＤＣ／ＤＣ変換回路１３の出力電圧を入力する安定化回路を更に多種類設けて、多種類の出力を負荷に供給する構成とし、それぞれ異なるタイミング或いは一部は同一のタイミングとなる組を含めて、起動及び停止の順序を予め設定して制御する構成とすることも可能である。
【００２８】
図４は本発明の第３の実施の形態の説明図であり、３１は突入電流抑制回路、３２はブースト回路、３３はＤＣ／ＤＣ変換回路、３４，３５は安定化回路、３６はリセット回路、３７は充電電圧監視回路、３８はタイミング回路、３９，４０は起動停止回路、４１は入力電圧監視回路、４２は起動停止回路、Ｃ１はコンデンサを示す。
【００２９】
この実施の形態は、図３に示す実施の形態に於けるＤＣ／ＤＣ変換回路１３に対応するＤＣ／ＤＣ変換回路３３の動作状態を示す信号を起動停止回路４２に入力し、この起動停止回路４２によって突入電流抑制回路３１の電流抑制動作の停止を制御する場合を示し、ブースト回路３２のみリセット回路３６により入力立下りの場合に初期状態にリセットする構成とする。その他の出力電圧安定化出力手段を構成するＤＣ／ＤＣ変換回路３３や安定化回路３４，３５の動作については、図３に示す実施の形態と同様であるから、重複した説明は省略する。
【００３０】
【発明の効果】
以上説明したように、本発明は、突入電流抑制回路１とブースト回路２とを介してコンデンサＣ１を充電し、このコンデンサＣ１の充電電圧を複数のＤＣ／ＤＣ変換回路３，４等の出力電圧安定化手段に入力して、複数の出力１，出力２を負荷に供給するもので、複数の出力電圧安定化手段対応に設けて起動及び停止を制御する起動停止回路９，１０と、入力立上り及び立下りを検出する入力電圧監視回路５と、コンデンサＣ１の充電電圧を検出する充電電圧監視回路７と、入力電圧監視回路５による入力電圧の立上り又は立上りの検出信号と、充電電圧監視回路７によるコンデンサＣ１の充電電圧の検出信号とに従って、複数の出力電圧安定化手段対応の起動停止回路９，１０を予め設定した動作順序に従ってタイミング回路８によって制御するもので、入力立上りにより迅速に所望の出力の立上げを行い、又入力立下りに対して、所望の出力の継続時間を延長することが可能となる利点がある。
【図面の簡単な説明】
【図１】本発明の第１の実施の形態の説明図である。
【図２】本発明の第１の実施の形態の動作説明図である。
【図３】本発明の第２の実施の形態の説明図である。
【図４】本発明の第３の実施の形態の説明図である。
【図５】従来の直流電源装置の説明図である。
【図６】従来の動作説明図である。
【符号の説明】
１　突入電流抑制回路
２　ブースト回路
３，４　ＤＣ／ＤＣ変換回路
５　入力電圧監視回路
６　リセット回路
７　充電電圧監視回路
８　タイミング回路
９，１０　起動停止回路
Ｃ１　コンデンサ
【図１】
2004096869.tif 000003
【図２】
2004096869.tif 000004
【図３】
2004096869.tif 000005
【図４】
2004096869.tif 000006
【図５】
2004096869.tif 000007
【図６】
2004096869.tif 000008